(57)【要約】【課題】信頼性を高めた発光モジュールを提供する。【解決手段】発光モジュール１００は、発光素子ユニット３と、導光第一主面１ｃと凹部１ｂを備える導光第二主面１ｄとを有する透光性の導光板１とを備える。鉛直断面視において、第一光反射性部材１５の少なくとも一部は、凹部１ｂの外に位置する。発光モジュール１００は、さらに凹部１ｂの内側面及び発光素子ユニット３の外側面と接する透光性の接合部材１４と、導光第二主面１ｄと接合部材１４の一部を覆う第二光反射性部材１６とを備え、導光第二主面１ｄ側から見た平面視において、第一光反射性部材１５と第二光反射性部材１６は少なくとも一部が離隔されており、離隔された領域において接合部材１４が第二光反射性部材１６から露出しており、接合部材１４の硬度が、第一光反射性部材１５及び第二光反射性部材１６のいずれよりも低くしている。【選択図】図５
2020109718.tif 000002
【特許請求の範囲】
【請求項１】
素子主発光面と、該素子主発光面と対向する素子電極を設けた素子電極形成面と、前記素子主発光面及び素子電極形成面をつなぐ素子側面を有する発光素子と、
前記素子主発光面を覆う透光性部材と、
前記素子側面を覆う第一光反射性部材と
を備える発光素子ユニットと、
外部に光を放射する発光面となる導光第一主面と、
前記導光第一主面の反対側の面であり、前記発光モジュールが配置される凹部を備える導光第二主面とを有する透光性の導光板と、
を備える発光モジュールであって、
鉛直断面視において、前記第一光反射性部材の少なくとも一部は、前記凹部の外に位置し、
前記発光モジュールは、さらに
前記凹部の内側面及び前記発光素子ユニットの外側面と接する透光性の接合部材と、
前記導光第二主面と前記接合部材の一部を覆う第二光反射性部材と
を備え、
前記導光第二主面側から見た平面視において、前記第一光反射性部材と前記第二光反射性部材は少なくとも一部が離隔されており、前記離隔された領域において前記接合部材が前記第二光反射性部材から露出しており、
前記接合部材の硬度が、前記第一光反射性部材及び第二光反射性部材のいずれよりも低い発光モジュール。
【請求項２】
請求項１に記載の発光モジュールであって、
前記第二光反射性部材の硬度が、前記第一光反射性部材と同じか、これよりも高い発光モジュール。
【請求項３】
請求項１又は２に記載の発光モジュールであって、
前記第一光反射性部材、第二光反射性部材、接合部材が、それぞれ樹脂を含む発光モジュール。
【請求項４】
請求項１〜３のいずれか一項に記載の発光モジュールであって、
前記発光素子ユニットは、平面視において矩形状に形成されており、
前記接合部材は、平面視において前記発光素子ユニットの矩形状を構成する一辺の両側隅部よりも、これらの中間において幅広に形成されてなる発光モジュール。
【請求項５】
請求項１〜４のいずれか一項に記載の発光モジュールであって、
前記第二光反射性部材は、前記導光板の前記導光第二主面と面する第二光反射接合面と、前記第二光反射接合面と反対側の第二光反射主面とを有しており、
鉛直断面視において、前記第二光反射主面における前記接合部材と前記第二光反射性部材との界面が、前記透光性部材の端面よりも外側に位置されてなる発光モジュール。
【請求項６】
請求項１〜５のいずれか一項に記載の発光モジュールであって、
前記第二光反射性部材は、前記導光板の前記導光第二主面と面する第二光反射接合面と、前記第二光反射接合面と反対側の第二光反射主面とを有しており、
鉛直断面視において、前記第二光反射主面における前記接合部材と、前記第二光反射性部材との界面が、前記凹部の端面よりも外側に位置されてなる発光モジュール。
【請求項７】
請求項１〜６のいずれか一項に記載の発光モジュールであって、
前記導光板は、前記凹部を複数形成しており、
前記複数の凹部にそれぞれ、前記発光素子ユニット及び接合部材を配置しており、
前記接合部材は、鉛直断面視において前記第二光反射性部材との界面を傾斜面としてなる発光モジュール。
【請求項８】
請求項７に記載の発光モジュールであって、
前記接合部材は、前記傾斜面を下に凸状とした曲面に形成してなる発光モジュール。
【請求項９】
請求項７に記載の発光モジュールであって、
前記接合部材は、前記傾斜面を上に凸状とした曲面に形成してなる発光モジュール。
【発明の詳細な説明】
【技術分野】
【０００１】
本発明は、発光素子を用いた発光モジュールに関する。
【背景技術】
【０００２】
発光ダイオード等の発光素子を用いた発光装置は、液晶ディスプレイのバックライトやディスプレイ等の各種の光源として広く利用されている。例えば、特許文献１に開示される光源装置は、実装基板に実装される複数の発光素子と、複数の発光素子のそれぞれを封止する半球状のレンズ部材とその上に配置された発光素子からの光が入射される拡散部材を備える。さらに、特許文献２に開示される発光装置は、封止樹脂層と蛍光体層を一体化した２層シートを発光素子の上面に配置して、その側面を反射樹脂で覆っている。
【先行技術文献】
【特許文献】
【０００３】
【特許文献１】特開２０１５−３２３７３号公報
【特許文献２】特開２０１６−１１５７０３号公報
【発明の概要】
【発明が解決しようとする課題】
【０００４】
しかしながら、発光装置は発熱量が大きく、熱によって樹脂材が膨張、収縮を繰り返してクラックを生じることがあった。
【０００５】
本発明の目的の一は、信頼性を高めた発光モジュールを提供することにある。
【課題を解決するための手段】
【０００６】
以上の目的を達成するために、本発明のある形態に係る発光モジュールによれば、素子主発光面と、該素子主発光面と対向する素子電極を設けた素子電極形成面と、前記素子主発光面及び素子電極形成面をつなぐ素子側面を有する発光素子と、前記素子主発光面を覆う透光性部材と、前記素子側面を覆う第一光反射性部材とを備える発光素子ユニットと、外部に光を放射する発光面となる導光第一主面と、前記導光第一主面の反対側の面であり、前記発光素子ユニットが配置される凹部を備える導光第二主面とを有する透光性の導光板とを備える発光モジュールであって、鉛直断面視において、前記第一光反射性部材の少なくとも一部は、前記凹部の外に位置し、前記発光モジュールは、さらに前記凹部の内側面及び前記発光素子ユニットの外側面と接する透光性の接合部材と、前記導光第二主面と前記接合部材の一部を覆う第二光反射性部材とを備え、前記導光第二主面側から見た平面視において、前記第一光反射性部材と前記第二光反射性部材は少なくとも一部が離隔されており、前記離隔された領域において前記接合部材が前記前記第二光反射性部材から露出しており、前記接合部材の硬度が、前記第一光反射性部材及び第二光反射性部材のいずれよりも低くしている。
【発明の効果】
【０００７】
本発明のある形態に係る発光モジュールによれば、第一光反射性部材と第二光反射性部材とを直接接合させず、界面に硬度の低い接合部材を介在させることで、これらが加熱されて膨張収縮しても、硬度の硬い第一光反射性部材と第二光反射性部材とが擦れ合うことを避け、硬度の低い接合部材でもって変形を吸収することにより、亀裂が生じる事態を抑制し、耐久性を向上できる。
【図面の簡単な説明】
【０００８】
【図１】実施形態１に係る液晶ディスプレイ装置の各構成を示す構成図である。
【図２】実施形態１に係る発光モジュールの模式平面図である。
【図３】実施形態１に係る発光モジュールを導光板を下に向けた、要部拡大図付き模式断面図である。
【図４】他の実施形態に係る発光モジュールの模式底面図である。
【図５】実施形態１に係る発光モジュールの拡大模式断面図である。
【図６】実施形態２に係る発光モジュールの拡大模式断面図である。
【図７】実施形態３に係る発光モジュールの拡大模式断面図である。
【図８】実施形態１に係る発光モジュールの模式平面図である。
【図９】実施形態４に係る発光モジュールの模式平面図である。
【図１０】実施形態５に係る発光モジュールの模式断面図である。
【図１１】実施形態６に係る発光モジュールの模式断面図である。
【図１２】実施形態７に係る発光モジュールの拡大模式断面図である。
【図１３】発光モジュールにおいて傾斜角度を示す拡大模式断面図である。
【図１４】発光素子ユニットの製造工程の一例を示す拡大模式断面図である。
【図１５】発光素子ユニットの製造工程の一例を示す拡大模式断面図である。
【図１６】発光モジュールの製造工程の一例を示す拡大模式断面図である。
【図１７】発光モジュールの製造工程の一例を示す拡大模式断面図である。
【図１８】他の実施形態に係る発光素子ユニットの製造工程の一例を示す拡大模式断面図である。
【図１９】他の実施形態に係る発光素子ユニットの製造工程の一例を示す拡大模式断面図である。
【図２０】他の実施形態に係る発光モジュールの製造工程の一例を示す拡大模式断面図である。
【図２１】他の実施形態に係る発光モジュールの拡大模式断面図である。
【図２２】図３に示す発光モジュールに回路基板を接続する一例を示す拡大模式断面図である。
【発明を実施するための形態】
【０００９】
本発明の一形態に係る発光モジュールによれば、上記に加えて、前記第二光反射性部材の硬度を、前記第一光反射性部材と同じか、これよりも高くすることができる。
【００１０】
また、本発明の他の形態に係る発光モジュールによれば、上記いずれかに加えて、前記第一光反射性部材、第二光反射性部材、接合部材が、それぞれ樹脂を含むことができる。
【００１１】
さらにまた、本発明の他の形態に係る発光モジュールによれば、上記いずれかに加えて、前記発光装置は、平面視において矩形状に形成されており、前記接合部材は、平面視において前記発光装置の矩形状を構成する一辺の両側隅部よりも、これらの中間において幅広に形成されている。
【００１２】
さらにまた、本発明の他の形態に係る発光モジュールによれば、上記いずれかに加えて、前記第二光反射性部材は、前記導光板の前記導光第二主面と面する第二光反射接合面と、前記第二光反射接合面と反対側の第二光反射主面とを有しており、鉛直断面視において、前記第二光反射主面における前記接合部材と前記第二光反射性部材との界面が、前記透光性部材の端面よりも外側に位置されている。
【００１３】
さらにまた、本発明の他の形態に係る発光モジュールによれば、上記いずれかに加えて、前記第二光反射性部材は、前記導光板の前記導光第二主面と面する第二光反射接合面と、前記第二光反射接合面と反対側の第二光反射主面とを有しており、鉛直断面視において、前記第二光反射主面における前記接合部材と、前記第二光反射性部材との界面が、前記凹部の端面よりも外側に位置されている。
【００１４】
さらにまた、本発明の他の形態に係る発光モジュールによれば、上記いずれかに加えて、前記導光板は、前記凹部を複数形成しており、前記複数の凹部にそれぞれ、前記発光装置及び接合部材を配置しており、前記接合部材は、鉛直断面視において前記第二光反射性部材との界面を傾斜面としている。
【００１５】
さらにまた、本発明の他の形態に係る発光モジュールによれば、上記いずれかに加えて、前記接合部材は、前記傾斜面を下に凸状とした曲面に形成している。
【００１６】
さらにまた、本発明の他の形態に係る発光モジュールによれば、上記いずれかに加えて、前記接合部材は、前記傾斜面を上に凸状とした曲面に形成している。
【００１７】
さらにまた、本発明の他の形態に係る発光モジュールによれば、上記いずれかに加えて、前記導光板は、前記凹部を複数形成しており、前記複数の凹部にそれぞれ、前記発光装置及び接合部材を配置しており、前記接合部材同士の間に、前記第二光反射性部材を配置しており、前記接合部材は、鉛直断面視において前記第二光反射性部材との界面を傾斜面とすることができる。
【００１８】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
【００１９】
さらに、以下に示す実施形態は、本発明の技術思想を具体化するための例示であって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
（液晶ディスプレイ装置１０００）
【００２０】
図１は、発光モジュール１００を備える液晶ディスプレイ装置１０００の各構成を示す構成図を示す。この液晶ディスプレイ装置１０００は、上側から順に、液晶パネル１２０と、２枚のレンズシート１１０ａ、１１０ｂ、拡散シート１１０ｃと、発光モジュール１００とを備える。図１に示す液晶ディスプレイ装置１０００は、液晶パネル１２０の下方に発光モジュール１００を積層する、いわゆる直下型の液晶ディスプレイ装置である。液晶ディスプレイ装置１０００は、発光モジュール１００から照射される光を、液晶パネル１２０に照射する。なお、上述の構成部材以外に、さらに偏光フィルムやカラーフィルタ等の部材を備えてもよい。
（発光モジュール１００）
【００２１】
本実施形態の発光モジュール１００の構成を図２及び図３に示す。本実施形態の発光モジュール１００は白色の面発光である。図２は、本実施形態に係る発光モジュール１００の模式平面図である。図３は、本実施形態に係る発光モジュール１００を示す一部拡大模式断面図である。これらの図に示す発光モジュール１００は、光源である発光素子ユニット３と、外部に光を放射する発光面となる導光第一主面１ｃと、発光装置３が配置される凹部１ｂを備える導光第二主面１ｄとを有する導光板１とを備えている。さらに、発光モジュール１００は、導光板１の導光第二主面１ｄの一部と発光装置３の一部を覆う第二光反射性部材１６を備えている。凹部１ｂの内側面、及び発光装置３の外側面と接する透光性の接合部材１４を備える。
【００２２】
図２及び図３に示す発光モジュール１００は、１枚の導光板１に複数の凹部１ｂを設けて、各々の凹部１ｂに発光装置３を配置している。ただし、発光モジュールは、図４の模式底面図に示すように、導光板１’に一つの凹部１ｂを設けて、凹部１ｂに発光装置３を配置したものを複数配列して発光モジュール１００’とすることもできる。
（発光装置３）
【００２３】
発光装置３の模式断面図を図５に示す。この図に示す発光装置３は、発光素子１１と、透光性部材１０と、透光性接着部材１９と、これら透光性部材１０を透光性接着部材１９接着した発光素子１１の素子側面１１ｅを覆う第一光反射性部材１５とを備えている。この発光装置３は、素子主発光面１１ｃを透光性部材１０で被覆している。透光性部材１０は、素子主発光面１１ｃと接合される第三主面１２ｃと、第四主面１２ｄと、これら第三主面１２ｃと第四主面１２ｄとをつなぐ第二側面１２ｅを有する。第三主面１２ｃは、素子主発光面１１ｃよりも大きい面積を有する矩形状であり、素子主発光面１１ｃと接合される。この透光性部材１０は、発光素子１１が発する光の波長を変換して異なる波長の光を発する波長変換部材１２を含む。
（発光素子１１）
【００２４】
発光素子１１は、素子主発光面１１ｃと、素子主発光面１１ｃの反対側に素子電極形成面１１ｄと、素子主発光面１１ｃと素子電極形成面１１ｄの間に素子側面１１ｅを有している。さらに、素子電極形成面１１ｄには一対の素子電極１１ｂを有している。この発光素子１１は、主として素子主発光面１１ｃから光を放射し、素子主発光面１１ｃを覆う透光性部材１０に光を照射する。
【００２５】
図３の発光装置３は、発光素子１１の素子主発光面１１ｃを透光性部材１０が被覆している。さらに、発光装置３は、発光素子１１の素子側面１１ｅを第一光反射性部材１５で被覆している。図に示す発光装置３は、第一光反射性部材１５の外側面と透光性部材１０の外側面を略同一平面としている。
（発光素子１１）
【００２６】
発光素子１１は、正負一対の素子電極１１ｂを備える素子電極形成面１１ｄと、素子電極形成面１１ｄと反対側に素子主発光面１１ｃを有する。なお、本実施形態の発光モジュールは、発光素子１１をフリップチップ実装したものでもよいし、ワイヤを使用して実装したものでもよい。
【００２７】
発光素子１１は、例えば、サファイア等の透光性基板と、透光性基板の上に積層された半導体積層構造とを有する。半導体積層構造は、発光層と、発光層を挟むｎ型半導体層及びｐ型半導体層とを含み、ｎ型半導体層及びｐ型半導体層に、素子電極１１ｂであるｎ側電極及びｐ側電極がそれぞれ電気的に接続される。発光素子１１は、例えば透光性基板を備える素子主発光面１１ｃが導光板１と対向して配置され、素子主発光面１１ｃと反対側の素子電極形成面１１ｄに一対の素子電極１１ｂを有する。
【００２８】
発光素子１１としては、縦、横及び高さの寸法に特に制限は無いが、好ましくは平面視において縦及び横の寸法が１０００μｍ以下の半導体発光素子を用い、より好ましくは縦及び横の寸法が５００μｍ以下であり、さらに好ましくは、縦及び横の寸法が２００μｍ以下の発光素子を用いる。このような発光素子を用いると、液晶ディスプレイ装置のローカルディミングを行った際に、高精細な映像を実現することができる。また、縦及び横の寸法が５００μｍ以下の発光素子を用いると、発光素子を安価に調達することができるため、発光モジュール１００を安価にすることができる。なお、縦及び横の寸法の両方が２５０μｍ以下である発光素子は、発光素子の上面の面積が小さくなるため、相対的に発光素子の素子側面１１ｅからの光の出射量が多くなる。つまり、このような発光素子は発光がバットウィング形状になりやすくなるため、発光素子が導光板に接合され、発光素子と導光板との距離がごく短い本実施形態の発光モジュールに好ましく用いられる。
【００２９】
また発光素子１１の高さは、０．３０ｍｍ〜０．４０ｍｍとすることが好ましい。発光素子１１の高さは、発光装置３を凹部１ｂに実装した状態で、発光素子１１の素子電極形成面１１ｄが凹部１ｂから突出していることが好ましい。
【００３０】
発光素子１１は、平面視においてどのような形状でもよく、例えば、正方形又は長方形である。高精細な液晶ディスプレイ装置に使用される発光素子は、好ましくは、長方形の発光素子を使用して、その上面形状が長手と短手を有することが好ましい。高精細な液晶ディスプレイ装置の場合、使用する発光素子の数は数千個以上となり、発光素子の実装工程は重要な工程となる。発光素子の実装工程において、複数の発光素子の一部の発光素子に回転ずれ（例えば±９０度方向のずれ）が発生したとしても、平面視において長方形の発光素子を用いることで目視での確認が容易となる。また、ｐ型電極とｎ型電極の距離を離して形成することができるため、後述する配線の形成を容易に行うことができる。一方、平面視において正方形の発光素子を用いる場合は、小さい発光素子を量産性良く製造することができる。発光素子１１の密度（配列ピッチ）、すなわち発光素子１１間の距離は、例えば、０．０５ｍｍ〜２０ｍｍ程度とすることができ、１ｍｍ〜１０ｍｍ程度が好ましい。なお発光素子１１の配列ピッチは、隣接する２つの発光素子１１の中心間の距離である。発光素子１１は、発光装置３のほぼ中心に配置されるように設計される結果、発光装置３の配列ピッチも同様に０．０５ｍｍ〜２０ｍｍ程度、好ましくは１ｍｍ〜１０ｍｍ程度となる。
【００３１】
発光素子１１には、公知の半導体発光素子を利用することができる。本実施形態においては、発光素子１１としてフリップチップ実装された発光ダイオードを例示する。発光素子１１は、例えば青色光を出射する。発光素子１１には、青色以外の光を出射する素子も使用できる。また、複数の発光素子１１として異なる色の光を発する発光素子を用いてもよい。発光素子１１から出射される光は、波長変換部材１２で外部に放射される発光色が調整される。
【００３２】
発光素子１１として、任意の波長の光を出射する素子を選択することができる。例えば、青色、緑色の光を出射する素子としては、窒化物系半導体（ＩｎxＡｌyＧａ1-x-yＮ、０≦Ｘ、０≦Ｙ、Ｘ＋Ｙ≦１）またはＧａＰを用いた発光素子を用いることができる。また、赤色の光を出射する素子としては、ＧａＡｌＡｓ、ＡｌＩｎＧａＰなどの半導体を含む発光素子を用いることができる。さらに、これら以外の材料からなる半導体発光素子を用いることもできる。半導体層の材料及びその混晶度を変更することによって発光波長を変化させることができる。用いる発光素子の組成、発光色、大きさ、個数などは、目的に応じて適宜選択すればよい。
（透光性部材１０）
【００３３】
透光性部材１０は、発光素子１１の素子主発光面１１ｃを被覆しており、素子主発光面１１ｃから出射される光を透過させる。この透光性部材１０は、発光素子１１から出射される光を励起する物質が含まれていてもよいし、拡散または／及び反射する物質が含まれていてもよい。図３の透光性部材１０は、波長変換部材１２を備えると共に、波長変換部材１２に光拡散部１３を積層して設けている。図の透光性部材１０は、波長変換部材１２を発光素子１１側に、光拡散部１３を導光板１側に積層している。この透光性部材１０は、発光素子１１から照射される光の波長を波長変換部材１２で調整し、波長変換部材１２を透過する光を光拡散部１３で拡散して導光板１に照射する。これにより、導光板１から放射される光をより均一にできる。
【００３４】
図３に示す発光装置３は、波長変換部材１２と光拡散部１３を備える透光性部材１０を、発光素子１１に接合している。このように、透光性部材１０は、波長変換部材１２と光拡散部１３とを備えることが好ましい。また、透光性部材１０は、複数の波長変換部材１２や光拡散部１３を積層することもできる。なお、透光性部材１０は、波長変換部材のみで構成することも、光拡散部のみで構成することも、あるいは、透光性部材や光拡散部を備えることなく透光性を有する樹脂のみで構成することもできる。透光性部材１０の厚さは、０．１０ｍｍ〜０．３０ｍｍとすることが好ましい。透光性部材が薄すぎると、波長変換や光拡散の効果を発揮し難くなる。また厚すぎると、波長変換された光の吸収が生じたり、光拡散の効果が飽和する等の問題が生じる。このため、波長変換部材１２と光拡散部１３を含めた透光性部材１０の厚さを、上記範囲内とすることが好ましい。
（波長変換部材１２）
【００３５】
波長変換部材１２は、発光素子１１が発する光を受けて、異なる波長の光に変換するための部材である。波長変換部材１２は、波長変換物質を母材となる第四樹脂に分散させたものである。また、波長変換部材１２は、複数層で構成していてもよい。例えば波長変換部材１２を、母材に波長変換物質を添加した第一層と、母材に拡散材を添加した光拡散部を第二層とする二層構造とすることができる。
【００３６】
母材となる第四樹脂の材料は、例えばエポキシ樹脂、シリコーン樹脂、これらを混合した樹脂、又はガラスなどの透光性材料を用いることができる。波長変換部材１２の耐光性及び成形容易性の観点からは、第四樹脂としてシリコーン樹脂を選択すると有益である。また、波長変換部材１２の母材としては、導光板１の材料よりも高い屈折率を有する材料が好ましい。
【００３７】
波長変換部材１２が含有する波長変換物質には、蛍光体が好適に利用できる。例えば、ＹＡＧ蛍光体、βサイアロン蛍光体、ＫＳＦ系蛍光体又はＭＧＦ系蛍光体等のフッ化物系蛍光体、窒化物蛍光体などが挙げられる。波長変換部材１２は、単数の波長変換物質が含有されていてもよいし、複数の波長変換物質が含有されていてもよい。複数の波長変換物質を含有する場合は、例えば、波長変換部材が緑色系の発光をするβサイアロン蛍光体と赤色系の発光をするＫＳＦ系蛍光体等のフッ化物系蛍光体とを含むことができる。これにより、発光モジュール１００の色再現範囲を広げることができる。この場合、発光素子１１は、波長変換部材１２を効率良く励起できる短波長の光を出射することが可能な窒化物系半導体（ＩｎxＡｌyＧａ1-x-yＮ、０≦Ｘ、０≦Ｙ、Ｘ＋Ｙ≦１）を備えることが好ましい。また、例えば、青色系の光を出射する発光素子１１を用いた際に、発光モジュールとして赤色系の光を得たい場合は、波長変換部材１２にＫＳＦ系蛍光体（赤色蛍光体）を６０重量％以上、好ましくは９０重量％以上含有させてもよい。つまり、特定の色の光を出射する波長変換部材を波長変換部材１２に含有させることで、特定の色の光を出射するようにしてもよい。また、波長変換物質は量子ドットであってもよい。波長変換部材１２内において、波長変換物質はどのように配置されていてもよい。例えば、略均一に分布していてもよく、一部に偏在してもよい。また、波長変換部材をそれぞれ含有する複数の層が積層されて設けられていてもよい。
【００３８】
蛍光体の組成式の具体例としては、以下の一般式（Ｉ）、（ＩＩ）、（ＩＩＩ）を挙げることができる。
【００３９】
Ａ2［Ｍ1-aＭｎ4+aＦ6］・・・（Ｉ）
（ただし、上記一般式（Ｉ）中、Ａは、Ｋ+、Ｌｉ+、Ｎａ+、Ｒｂ+、Ｃｓ+及びＮＨ4+からなる群から選ばれる少なくとも１種であり、Ｍは、第４族元素及び第１４族元素からなる群から選ばれる少なくとも１種の元素であり、ａは０＜ａ＜０．２を満たす。）
【００４０】
（ｘ−ａ）ＭｇＯ・ａ（Ｍａ）Ｏ・ｂ／２（Ｍｂ）2Ｏ3・ｙＭｇＦ2・ｃ（Ｍｃ）Ｘ2・（１−ｄ−ｅ）ＧｅＯ2・ｄ（Ｍｄ）Ｏ2・ｅ（Ｍｅ）2Ｏ3：Ｍｎ・・・（ＩＩ）
（ただし、上記一般式（ＩＩ）中、Ｍａは、Ｃａ，Ｓｒ，Ｂａ，Ｚｎから選択された少なくとも１種であり、Ｍｂは、Ｓｃ，Ｌａ，Ｌｕから選択された少なくとも１種であり、Ｍｃは、Ｃａ，Ｓｒ，Ｂａ，Ｚｎから選択された少なくとも１種であり、Ｘは、Ｆ，Ｃｌから選択された少なくとも１種であり、Ｍｄは、Ｔｉ，Ｓｎ，Ｚｒから選択された少なくとも１種であり、Ｍｅは、Ｂ，Ａｌ，Ｇａ，Ｉｎから選択された少なくとも１種である。また、ｘ、ｙ、ａ、ｂ、ｃ、ｄ、ｅについて、２≦ｘ≦４、０＜ｙ≦２、０≦ａ≦１．５、０≦ｂ＜１、０≦ｃ≦２、０≦ｄ≦０．５、０≦ｅ＜１）
【００４１】
ＭａxＭｂｙＡｌ3Ｎz：Ｅｕ・・・（ＩＩＩ）
（ただし、上記一般式（ＩＩＩ）中、Ｍａは、Ｃａ、Ｓｒ及びＢａからなる群から選択される少なくとも１種の元素であり、Ｍｂは、Ｌｉ、Ｎａ及びＫからなる群から選択される少なくとも１種の元素であり、ｘ、ｙ及びｚはそれぞれ、０．５≦ｘ≦１．５、０．５≦ｙ≦１．２、及び３．５≦ｚ≦４．５を満たす。
【００４２】
一般式（Ｉ）に表されるＫＳＦ蛍光体の半値幅は、１０ｎｍ以下とできる。また、一般式（ＩＩ）に表されるＭＧＦ蛍光体の半値幅は、１５ｎｍ以上３５ｎｍ以下とできる。上記一般式（Ｉ）に示されるように、ＫＳＦ蛍光体の組成Ｋ2ＳｉＦ6：Ｍｎ4+を構成するＳｉの一部を、別の４価の元素であるＴｉやＳｉで置換（組成式では、Ｋ2（Ｓｉ，Ｔｉ，Ｇｅ）Ｆ6：Ｍｎと表される）したり、またＫＳＦ蛍光体の組成Ｋ2ＳｉＦ6：Ｍｎ4+を構成するＫの一部を別のアルカリ金属に置換したり、Ｓｉの一部を３価の元素のＡｌ等で置換したり、複数の元素の置換を組み合わせたりしても構わない。
（光拡散部１３）
【００４３】
光拡散部１３は、発光素子１１から照射される光を拡散及び／または反射させることで、素子主発光面１１ｃに局部的に光が集中するのを阻止し、輝度ムラが生じるのを防止する。この光拡散部１３は、母材に拡散材を添加している。光拡散部１３は、例えば上述した樹脂材料を母材として、これにＳｉＯ2やＴｉＯ2等の白色の無機微粒子を含有させたものを用いることができる。また、拡散材には、光反射性部材である白色系の樹脂や金属を微粒子状に加工したものを使用することもできる。これらの拡散材は、母材の内部に不規則に含有されることで、光拡散部の内部を通過する光を不規則に、かつ繰り返し反射させて、透過光を多方向に拡散することで、照射光が局部的に集中するのを抑制して、輝度ムラが生じるのを防止する。光拡散部１３は、発光素子１１から出射される光に対して６０％以上の反射率を有し、好ましくは９０％以上の反射率を有する。
【００４４】
図３の発光装置３は、平面視において、波長変換部材１２や光拡散部１３で構成される透光性部材１０の外形を発光素子１１の外形よりも大きくしている。この発光装置３は、発光素子１１の素子主発光面１１ｃから出射されるより多くの光を波長変換部材１２や光拡散部１３に透過させて導光板１に入射して色ムラや輝度ムラを少なくできる。
（透光性接着部材１９）
【００４５】
図３に示すように、発光素子１１の素子側面１１ｅの一部及び透光性部材１０の一部を透光性接着部材１９が被覆している。なお、透光性接着部材１９の外側面は、発光素子１１の素子側面１１ｅから透光性部材１０に向かって広がる傾斜面であることが好ましく、発光素子１１側に凸状の曲面であることがより好ましい。これにより、発光素子１１の素子側面１１ｅから出る光をより透光性部材１０に導くことができ、光取り出し効率を高めることができる。
【００４６】
また、発光素子１１の素子主発光面１１ｃと透光性部材１０の間には、透光性接着部材１９を有してもよい。これにより、例えば、透光性接着部材１９に拡散剤等を含有することで発光素子１１の素子主発光面１１ｃから出る光が、透光性接着部材１９で拡散され、透光性部材１０に入ることで輝度ムラを少なくできる。透光性接着部材１９は、後述する接合部材１４と同じ部材を使用することができる。
（第一光反射性部材１５）
【００４７】
さらに、発光装置３は、発光素子１１に透光性部材１０を設けた状態で、発光素子１１の素子側面１１ｅを第一光反射性部材１５で被覆している。詳細には、透光性接着部材１９で覆われていない発光素子１１の素子側面１１ｅ及び透光性接着部材１９の外側面を第一光反射性部材１５で被覆している。
【００４８】
第一光反射性部材１５は、光反射性に優れた材質で、好ましくは光を反射する添加物である白色粉末等を透明樹脂に添加している白色樹脂である。発光装置３は、発光素子１１の素子主発光面１１ｃを除く他の面をこの第一光反射性部材１５で被覆することにより、素子主発光面１１ｃ以外の方向への光の漏れを抑制している。すなわち、第一光反射性部材１５は、発光素子１１の素子側面１１ｅや素子電極形成面１１ｄから出射される光を反射して、発光素子１１の発光を有効に導光板１の導光第一主面１ｃから外部に放射させて、発光モジュール１００の光取り出し効率を高めることができる。
【００４９】
第一光反射性部材１５は、母材となる第一樹脂に光反射性材料を分散させて構成される。第一樹脂の樹脂材料には、フェニル系樹脂、エポキシ樹脂、シリコーン樹脂、これらを混合した樹脂、又はガラスなどの透光性材料が利用できる。好ましくは、硬質ハイブリッド樹脂（二液性のエポキシ付シリコーン樹脂）を用いる。これにより、樹脂硬化後に硬度が高く、製品の寸法精度が向上する等の効果が得られる。特に第一光反射性部材１５の母材に、第二光反射性部材１６や接合部材１４と同じ樹脂を用いることで、接着性に優れ、硬化時の樹脂引けや膨張時の変形などによって接合界面に応力が生じて剥離の原因となることを抑制できる。また光反射性材料には、白色顔料、特に、ＴｉＯ2やその他の光反射性を有する材料等が利用できる。
【００５０】
第一光反射性部材１５は、発光素子１１から出射される光に対して６０％以上の反射率を有し、好ましくは９０％以上の反射率を有する白色樹脂が適している。また粘度を調整するための第一フィラーを混在させることもできる。第一フィラーは、金属由来の無機物とすることが好ましい。また第一フィラーの密度は、樹脂材料に対して１〜１０％、好ましくは５％未満とすることが好ましい。また第一フィラーの密度によって、第一光反射性部材１５の硬度を調整できる。この第一光反射性部材１５の硬度は、ショアＡ硬度３０〜ショアＤ硬度１００とすることが好ましい。ここでは、第一樹脂として硬質ハイブリッド樹脂（二液性のエポキシ付シリコーン樹脂）、第一フィラーとしてＴｉＯ2を用いている。
【００５１】
第一光反射性部材１５は、発光素子１１の素子側面１１ｅの少なくとも一部に接しており、発光素子１１の周囲にあって発光素子１１を埋設して、発光素子１１の素子電極１１ｂを表面に露出させている。第一光反射性部材１５は、透光性部材１０と接しており、第一光反射性部材１５の外側面と透光性部材１０の外側面は同一平面である。第一光反射性部材１５は、発光素子１１と透光性部材１０と一体構造に接合された発光装置３を導光板１に配置される。
（導光板１）
【００５２】
導光板１は、光源から入射される光を面状にして外部に放射する透光性の部材である。導光板１は、図３に示すように、発光面となる導光第一主面１ｃと、導光第一主面１ｃと反対側に導光第二主面１ｄとを備える。この導光板１は、導光第二主面１ｄに複数の凹部１ｂを設けている。また、本実施形態では隣接する凹部１ｂの間に溝１ｅを設けている。
【００５３】
また、凹部１ｂ内には、発光装置３の一部を配置している。詳細には、透光性部材１０が、凹部１ｂの底面と対向するように発光装置３の一部を導光板１の凹部１ｂに配置する。これにより、発光モジュール全体は薄型化が可能になる。導光板１は、図２及び図３に示すように、複数の凹部１ｂを設けて各々の凹部１ｂに発光装置３の一部を配置して発光モジュール１００とすることができる。
【００５４】
あるいは、図４に示すように、ひとつの凹部１ｂのある導光板１’にひとつの発光装置３の一部を配置し、複数の導光板１’を平面形状に配置して発光モジュール１００’とすることができる。複数の凹部１ｂを設けている導光板１は、図３に示すように、凹部１ｂの間に格子状の溝１ｅを設けている。ひとつの凹部１ｂを設けている導光板１’は、図４に示すように、導光第二主面１ｄの外周部に、外周縁に向かって傾斜面１ｆを設けている。
【００５５】
溝１ｅや傾斜面１ｆは、その表面に、第二光反射性部材１６が設けられる。溝１ｅに配置される第二光反射性部材１６は、詳細には後述するが、好ましくは発光装置３からの光を反射する白色樹脂で、発光素子１１の発光が、溝１ｅで区画された隣の導光板１に入射するのを防止して、各々の発光素子１１の光が隣に漏れるのを防止する。ひとつの導光板１’の導光第二主面１ｄの外周部に設けている傾斜面１ｆに接合される第二光反射性部材１６は、導光板１の周囲に光が漏れるのを防止して、導光板１の導光第一主面１ｃからの発光強度が低下するのを防止する。
【００５６】
導光板１の大きさは、液晶ディスプレイ装置１０００の大きさにより適宜設定されるが、例えば、複数の凹部１ｂのある導光板１にあっては、一辺が１ｃｍ〜２００ｃｍ程度とすることができ、３ｃｍ〜３０ｃｍ程度が好ましい。厚みは０．１ｍｍ〜５ｍｍ程度とすることができ、０．１ｍｍ〜３ｍｍが好ましい。導光板１の平面形状は、例えば、略矩形や略円形等とすることができる。
【００５７】
導光板１の材料としては、アクリル、ポリカーボネート、環状ポリオレフィン、ポリエチレンテレフタレート、ポリエステル等の熱可塑性樹脂、エポキシ、シリコーン等の熱硬化性樹脂等の樹脂材料やガラスなどの光学的に透明な材料を用いることができる。特に、熱可塑性の樹脂材料は、射出成型によって効率よく製造することができるため、好ましい。中でも、透明性が高く、安価なポリカーボネートが好ましい。製造工程において、半田リフローのような高温環境にさらされることなく製造される発光モジュールは、ポリカーボネートのような熱可塑性であり耐熱性の低い材料であっても用いることができる。
【００５８】
また、導光板１は、単層で形成されていてもよく、複数の透光性の層が積層されて形成されていてもよい。複数の透光性の層が積層されている場合には、任意の層間に屈折率の異なる層、例えば空気の層等を設けることが好ましい。これにより、光をより拡散させやすくなり、輝度ムラを低減した発光モジュールとすることができる。このような構成は、例えば、任意の複数の透光性の層の間にスペーサを設けて離間させ、空気の層を設けることで実現することができる。また、導光板１の導光第一主面１ｃ上に透光性の層と、導光板１の導光第一主面１ｃと該透光性の層の間に屈折率の異なる層、例えば空気の層等を設けてもよい。これにより、光をより拡散させやすくなり、輝度ムラを低減した液晶ディスプレイ装置とすることができる。このような構成は、例えば、任意の導光板１と透光性の層の間にスペーサを設けて離間させ、空気の層を設けることで実現することができる。
（凹部１ｂ）
【００５９】
導光板１は、導光第二主面１ｄ側に、凹部１ｂを設けている。発光装置３の一部を、透光性部材１０が凹部１ｂの底面と対向するように凹部１ｂ内に配置する。凹部１ｂの内側面は、平面視において、発光装置３の外側面よりも大きい。詳細には、図３に示すように、凹部１ｂの内側面は、発光装置３の外側面より外側に位置する。
【００６０】
図２〜図４の導光板１、１’は、平面視において、凹部１ｂの内形を四角形として、ここに配置する発光装置３の外形も四角形としている。四角形の凹部１ｂに配置される四角形の発光装置３は、発光装置３の各外側面が、対向する凹部１ｂの内側面が平行となるように配置してもよい。また、図４に示すように、発光装置３の各外側面が、凹部１ｂの各内側面に対し４５°回転するように配置することがより好ましい。さらに、平面視において、凹部１ｂの底面の中心と発光装置３の中心がほぼ一致するように配置されることが好ましい。これにより、発光装置３の側面から凹部１ｂの内側面までの距離を一定にすることができ、発光モジュールの色ムラを改善することができる。ただ、外形を四角形とする発光装置は、四角形の凹部に対して各々の辺が交差、いいかえると、四角形の凹部に対して回転する姿勢で配置することもできる。
【００６１】
ここで、凹部１ｂの平面視における大きさは、発光装置３の外形によっても変更されるが、円形にあっては直径、楕円形にあっては長径、四角形にあっては対角線の長さを、例えば、０．０５ｍｍ〜１０ｍｍとすることができ、好ましくは０．１ｍｍ〜２ｍｍが好ましい。深さは０．０５ｍｍ〜４ｍｍとすることができ、０．１ｍｍ〜１ｍｍが好ましい。凹部１ｂの平面視形状は、例えば、略矩形、略円形とすることができ、凹部１ｂの配列ピッチ等によって選択可能である。凹部１ｂの配列ピッチ（最も近接した２つの凹部１ｂの中心間の距離）が略均等である場合には、略円形または略正方形が好ましい。なかでも、略円形とすることは、発光装置３からの光を良好に広げることに効果がある。
【００６２】
凹部１ｂの底面から導光第二主面１ｄまでの凹部１ｂの高さは、断面視において、より好ましくは、図３に示すように、発光素子１１の素子主発光面１１ｃと導光第二主面１ｄが略同一平面になる凹部１ｂの高さである。また凹部１ｂの高さを、凹部１ｂに発光素子１１を実装した状態で、発光素子１１の上面が導光第二主面１ｄよりも高くなるようにしてもよい。これによって、発光素子１１を凹部１ｂから突出させて、素子電極１１ｂの配線作業等を容易に行うことができる。このように、発光素子１１の高さに応じて、凹部１ｂの高さを調整することが好ましい。
【００６３】
また導光板１は、発光装置３及び接合部材１４を配置する凹部１ｂを一以上形成している。図３等に示すように、導光板１が複数の凹部１ｂを形成していることが好ましい。各凹部１ｂには、発光装置３及び接合部材１４がそれぞれ配置される。さらに接合部材１４は、鉛直断面視において第二光反射性部材１６との界面を傾斜面としている。
（接合部材１４）
【００６４】
透光性の接合部材１４は、凹部１ｂの内側面及び発光装置３の外側面と接している。また、接合部材１４は、凹部１ｂの外側に位置する第一光反射性部材１５の一部と接するように、言い換えると、透光性部材１０の外側面から第一光反射性部材１５の外側面に跨がる領域を被覆するように配置されている。さらに、接合部材１４の外側面は、傾斜面１４ａである。この傾斜面１４ａは、第一光反射性部材１５の外側面との間でなす傾斜角αが鋭角となるようにしている。また接合部材１４は、透光性部材１０と凹部１ｂの底面の間に配置されてもよい。
【００６５】
さらに、図３に示すように、接合部材１４は、導光板１の導光第二主面１ｄと接している。これにより、傾斜面１４ａが形成される領域を広くして、多くの光を反射できるようになり、輝度ムラを低減できるようにしている。ここで、接合部材１４の傾斜面１４ａが第一光反射性部材１５の外側面となす傾斜角αは、５°〜８５°、好ましくは５°〜５０°、より好ましくは１０°〜４５°とすることができる。傾斜角αは、接合部材１４が裾状に拡がって導光板１の導光第二主面１ｄと接するように、言い換えると凹部１ｂの内部で発光装置３の外側面が接合部材１４で充填されるように、発光装置３の外側面と凹部１ｂの内側面との間の幅に応じて、設定される。また発光装置３の外側面と凹部１ｂの内側面との間の幅は、凹部１ｂの内径と、発光装置３の外径、あるいはこれらの形状や発光装置３を凹部１ｂに実装する際の姿勢、発光装置３の実装位置の公差等によって変化する。加えて、接合部材１４の高さ、すなわち発光装置３の高さ、透光性部材１０の厚さ、凹部１ｂの深さ（高さ）によっても、裾状に拡がった接合部材１４が導光板１の導光第二主面１ｄと接するかどうかは左右される。よって、これらの各条件に応じて、裾状に拡がった接合部材１４が導光板１の導光第二主面１ｄと接するように、傾斜角αも設定される。
【００６６】
また、図３に示すように、接合部材１４は、断面視において傾斜面１４ａを有している。この形状は、接合部材１４を透過して傾斜面１４ａに入射する光を一様な状態で発光面側に反射できる。
【００６７】
接合部材１４として、エポキシ樹脂、シリコーン樹脂等の透光性の熱硬化性の樹脂材料等を用いることができる。また、接合部材１４は、光の透過率を６０％以上とし、好ましくは９０％以上とする。さらに、接合部材１４は、拡散材等を含み、あるいは光を反射する添加物である白色粉末等を含んでもよいし、拡散材や白色粉末等を含まない透光性の樹脂材料のみで構成されてもよい。また粘度を調整するための第三フィラーを混在させることもできる。第三フィラーは、非金属由来の無機物であり透光性を有する部材とすることが好ましい。また接合部材１４における第三フィラーの密度を、第二光反射性部材１６における第二フィラーの密度よりも低くすることが好ましい。さらに第三フィラーの密度は、樹脂材料に対して０〜１０％、好ましくは５％未満とすることが好ましい。さらにまた接合部材１４の硬度は、ショアＡ硬度３０〜ショアＤ硬度８０とすることが好ましい。
【００６８】
接合部材１４は、母材となる第三樹脂に透光性材料を分散させて構成される。第三樹脂には、フェニル系樹脂、エポキシ樹脂、シリコーン樹脂、これらを混合した樹脂、又はガラスなどの透光性材料が利用できる。好ましくは、シリコーン樹脂を用いる。これにより、第一光反射性部材１５や第二光反射性部材１６に比べて硬度を抑えて変形し易い特性を付与できる。特に接合部材１４の母材に、第一光反射性部材１５や第二光反射性部材１６と同じ樹脂を用いることで、接着性に優れ、硬化時の樹脂引けや膨張時の変形などによって接合界面に応力が生じて剥離の原因となることを抑制できる。また透光性材料には、ＳｉＯ2、アルミナ等のセラミックス等が利用できる。
（第二光反射性部材１６）
【００６９】
第二光反射性部材１６は、導光板１の導光第二主面１ｄと面する第二光反射接合面と、接合面と反対側の第二光反射主面とを有している。この第二光反射性部材１６は、図３に示すように、導光板１の導光第二主面１ｄ及び発光装置３を被覆する。詳細には、第二光反射性部材１６は、導光板１の導光第二主面１ｄ、透光性の接合部材１４の傾斜面１４ａ及び第一光反射性部材１５の外側面で、接合部材１４で被覆していない領域を被覆する。
【００７０】
第二光反射性部材１６は、発光素子１１から出射する光、導光板１内に入射した光を反射し、外部に光を放射する発光面となる導光第一主面１ｃ側に光を導くことで、光取り出し効率を向上することができる。また、導光板１に積層することで、導光板１を補強する。さらに、発光素子１１を保護する部材と導光板１の導光第二主面１ｄの表面を反射する層とを兼ねることにより、発光モジュール１００の薄型化を図ることができる。
【００７１】
第二光反射性部材１６は、前述の第一光反射性部材１５と同じ材料、すなわち光を反射する添加物である白色粉末等を透明樹脂に添加している白色樹脂が好適に使用できる。第二光反射性部材１６は、発光素子１１の発光を有効に導光板１の導光第一主面１ｃから外部に放射させる。
【００７２】
第二光反射性部材１６は、母材となる第二樹脂に光反射性材料を分散させて構成される。第二樹脂の樹脂材料には、フェニル系樹脂、エポキシ樹脂、シリコーン樹脂、これらを混合した樹脂、又はガラスなどの透光性材料が利用できる。好ましくは、硬質ハイブリッド樹脂（二液性のエポキシ付シリコーン樹脂）を用いる。これにより、樹脂硬化後に硬度が高く、製品の寸法精度が向上する等の効果が得られる。特に第二光反射性部材１６の母材に、第一光反射性部材１５や接合部材１４と同じ樹脂を用いることで、接着性に優れ、硬化時の樹脂引けや膨張時の変形などによって接合界面に応力が生じて剥離の原因となることを抑制できる。また光反射性材料には、白色顔料、特に、ＴｉＯ2やその他の光反射性を有する材料等が利用できる。
【００７３】
また、第二光反射性部材１６は、第一光反射性部材１５と同じように発光素子１１から出射される光に対して６０％以上の反射率を有し、好ましくは９０％以上の反射率を有する白色樹脂が適している。これにより、導光板１の一面を被覆するために比較的大量に用いられる材料として酸化チタンのような安価な原材料を多く用いることで、発光モジュール１００を安価にすることができる。また粘度を調整するための第二フィラーを混在させることもできる。第二フィラーは金属由来の無機物が利用できる。第二フィラーの密度は、樹脂材料に対して１〜１０％、好ましくは５％未満とすることが好ましい。第二光反射性部材１６の硬度は、ショアＡ硬度３０〜ショアＤ硬度１００とすることが好ましい。
（接合部材１４の介在構造）
【００７４】
以上の構成において、接合部材１４は、導光第二主面１ｄ側から見た平面視において、第一光反射性部材１５と第二光反射性部材１６は少なくとも一部が離隔されている。また離隔した領域において、接合部材１４が第二光反射性部材１６から露出されている。いいかえると、第一光反射性部材１５と第二光反射性部材１６との間に接合部材１４を介在させている。さらに、接合部材１４の硬度を、第一光反射性部材１５及び第二光反射性部材１６のいずれよりも低くしている。このように、第一光反射性部材１５と第二光反射性部材１６とを直接接合させず、界面に硬度の低い接合部材１４を介在させることで、これらが加熱されて膨張収縮しても、硬度の硬い第一光反射性部材１５と第二光反射性部材１６とが擦れ合うことを避け、粉体の発生を抑制できる。
【００７５】
第一光反射性部材と第二光反射性部材とが直接接合された構成において、これら第一光反射性部材と第二光反射性部材が比較的硬度の高い樹脂で形成される場合には、堅い樹脂同士が熱によって膨張し、また温度降下によって収縮することにより、界面で熱振動による摩擦が生じる。第一光反射性部材や第二光反射性部材は、有機化合物の樹脂に無機物である白色粒子を混入しているため、これらの界面において熱膨張収縮が生じると、これらの無機粒子同士が擦れて激しく発熱する。さらに第一光反射性部材が、発光素子の周囲に密着するように被覆しているため、点灯時の発熱がダイレクトに第一光反射性部材の樹脂に伝搬されて高温になる結果、このような熱振動が一層顕著となる。このような熱振動の生じる界面において、樹脂同士の密着力を向上させようとしても、発光素子が１ｍｍ程度という極めて小さな領域においては、樹脂の材質によって熱振動に耐え得る密着力を発揮させることが難しい。そこで本実施形態においては、上述の通り第一光反射性部材１５と第二光反射性部材１６とを直接接合させず、間にこれらよりも硬度の低い接合部材１４を介在させることにより、熱振動の影響を緩和させることができる。特に、硬度の低い接合部材１４でもってクッション性を持たせて変形を吸収することにより、亀裂が生じる事態を抑制して耐久性が増し、信頼性を向上させることが可能となる。
【００７６】
図５の模式断面図に示すように、鉛直断面視において、第二光反射主面における接合部材１４と第二光反射性部材１６との界面は、透光性部材１０の端面よりも外側に位置されている。これにより、上述したクッション性を持たせる効果がさらに得られる。
【００７７】
さらに好ましくは、鉛直断面視において、第二光反射主面における接合部材１４と、第二光反射性部材１６との界面が、凹部１ｂの端面よりも外側に位置されている。これにより、上述したクッション性を持たせる効果がより顕著に得られる。
（傾斜面１４ａの変形例）
【００７８】
透光性の接合部材１４は、傾斜面１４ａを、断面視において、曲面とすることができる。図５に示す接合部材１４は、傾斜面１４ａを凹部１ｂ側に向かって突出された曲面としている。この傾斜面１４ａは、傾斜面１４ａにおける反射光の進行方向を広範囲にし、輝度ムラを低減できる。
［実施形態２］
【００７９】
また接合部材の傾斜面を、断面視において直線状としてもよい。このような例を実施形態２として図６の模式断面図に示す。この図において上述した実施形態１と同様の部材については、同じ符号を付して詳細説明を省略する。このように接合部材１４と第二光反射性部材１６との界面となる傾斜面１４ａ’を平面状とすることで、平面同士で接する面積が大きくなるため、密着力が向上する等の効果が得られる。
［実施形態３］
【００８０】
あるいは接合部材の傾斜面を、断面視において第二光反射性部材１６側に突出させた曲面状とすることもできる。このような例を実施形態３に係る発光モジュールとして図７の模式断面図に示す。この図においても上述した実施形態１等と同様の部材については、同じ符号を付して詳細説明を省略する。この例においては、接合部材１４の傾斜面１４ａ”により多くの樹脂を塗布することで傾斜面１４ａ”を盛り上げて、凸レンズ状に形成させている。これにより、さらに導光板１の側面方向に光を伝搬させ易くなる効果が得られる。
【００８１】
なお実施形態１に係る発光装置３の接合部材１４は、図８の平面図に示すように、平面視において発光装置３の矩形状を構成する一辺の両側隅部よりも、これらの中間において幅広に形成されている。このように、膨張収縮による変形量が、隅部よりも相対的に大きくなる辺の中間部分に、より多くの接合部材１４を配置することで、変形吸収効果を高めて第一光反射性部材１５及び第二光反射性部材１６の界面を保護できる。
［実施形態４］
【００８２】
また、発光装置の隅部においては、熱膨張収縮による変形量が少ないことから、この部分では接合部材を介在させないようにしてもよい。このような例を実施形態４に係る発光モジュール４００として、図９の平面図に示す。この図においても上述した実施形態１等と同様の部材については、同じ符号を付して詳細説明を省略する。この例においても、辺の中間部分に接合部材１４を配置することで、変形吸収効果を高めて第一光反射性部材１５及び第二光反射性部材１６の界面を保護できる。これにより、必要な部分にのみ接合部材１４Ｂを配置して、接合部材１４Ｂから光が漏れる事態を抑制できる効果が得られる。
［実施形態５］
【００８３】
さらに図３に示した実施形態１においては、導光板１に形成した溝１ｅに第二光反射性部材１６を設けた例を説明した。ただ本発明はこの構成に限られず、例えば導光板１の溝に、第二光反射性部材に代えて接合部材を配置してもよい。このような例を実施形態５に係る発光モジュール５００として、図１０の模式断面図に示す。この図においても上述した実施形態１等と同様の部材については、同じ符号を付して詳細説明を省略する。図１０において導光板１に形成されたＶ字状の溝１ｅには、接合部材１４Ｃが充填されている。接合部材１４Ｃの硬度は、導光板１よりも低くしている。これにより、第二光反射性部材１６と導光板１との間の界面においても、高度の低い接合部材１４Ｃを介在させることによって熱膨張や収縮による変形やクラックから保護できる。
［実施形態６］
【００８４】
また溝を接合部材で完全に埋める他、部分的に第二光反射性部材を溝に含めるように構成してもよい。このような例を実施形態６に係る発光モジュール６００として、図１１の模式断面図に示す。この図においても上述した実施形態１等と同様の部材については、同じ符号を付して詳細説明を省略する。図１１において導光板１に形成されたＶ字状の溝１ｅには、一部に接合部材１４Ｄが充填されると共に、残りの部分に第二光反射性部材１６Ｄを充填している。この構成によっても、実施形態５と同様に第二光反射性部材１６Ｄと導光板１との間の界面の熱振動を接合部材１４Ｄで保護できる。加えて、溝１ｅに部分的に配置された第二光反射性部材１６Ｄによって、発光素子１１の発光が溝１ｅで区画された隣の領域に入射するのを防止して、各々の発光素子１１の光のＯＮ／ＯＦＦ制御の独立性を維持できる。
［実施形態７］
【００８５】
また、実施形態７に係る発光モジュール７００を図１２の模式断面図に示す。この図においても、上述した実施形態１と同様の部材については、同じ符号を付して詳細説明を省略する。実施形態７に係る発光モジュール７００では、発光装置３Ａの透光性部材１０の外側面に透光性樹脂部２０をさらに有している。この透光性樹脂部２０は、後述する発光装置３に個片化する工程において、波長変換部材１２及び光拡散部１３の外側面を保護できる。このような透光性樹脂部２０として、例えば、光の透過率を６０％以上とし、好ましくは９０％以上とする透光性の樹脂が使用できる。この発光装置３Ａは、透光性部材１０と透光性樹脂部２０に接するように第一光反射性部材１５を設けている。
（光学機能部１ａ）
【００８６】
導光板１は、導光第一主面１ｃ側に、発光装置３からの光の反射や拡散機能を有する光学機能部１ａを設けることができる。この導光板１は、発光装置３からの光を側方に広げ、導光板１の面内における発光強度を平均化させることができる。光学機能部１ａは、例えば、光を導光板１の面内で広げる機能を有することができる。光学機能部１ａは、例えば、導光第一主面１ｃ側に設けられた円錐（図３及び図５参照）や四角錐、六角錐等の多角錐形等の凹み、あるいは、円錐台（図１２参照）や多角錐台等の凹みである。これにより、導光板１と、光学機能部１ａ内にある屈折率の異なる材料（例えば空気）と凹みの傾斜面との界面で照射された光を発光装置３の側方方向に反射するものを用いることができる。また、例えば、傾斜面を有する凹みに光反射性の材料（例えば金属等の反射膜や白色の樹脂）等を設けたものであってもよい。光学機能部１ａの傾斜面は、断面視において平面でもよく、曲面でもよい。図５、図１２は、傾斜面１４ａを曲面とした例を示している。なお曲面の場合において傾斜角αは、図１３の拡大図に示すように、接合部材１４の傾斜面１４ａが第一光反射性部材１５の外側面を被覆する上限と、導光板１の導光第二主面１ｄを被覆する外縁とを結んだ直線（図１３において一点鎖線）が、第一光反射性部材１５の外側面となす角で規定される。
【００８７】
さらに、光学機能部１ａである凹みの深さは、前述の凹部１ｂの深さを考慮して決定される。すなわち、光学機能部１ａと凹部１ｂの深さは、これらが離間している範囲で適宜設定できる。
【００８８】
光学機能部１ａは、後述するように、それぞれの発光装置３に対応する位置、つまり、導光第二主面１ｄ側に配置された発光装置３と反対側の位置に設けられることが好ましい。特に、発光装置３の光軸と、光学機能部１ａの中心軸とが略一致することが好ましい。したがって、導光第一主面１ｃに形成される光学機能部１ａは、その中心が導光第二主面１ｄに形成される凹部１ｂの底面の中心と一致するように設けられる。これにより、凹部１ｂの中心に発光装置３を配置することで、発光装置３の光軸を光学機能部１ａの中心軸に容易に一致させることが可能となる。光学機能部１ａの大きさは、適宜設定することができる。
【００８９】
導光板１に複数の凹部１ｂと光学機能部１ａを設けて、凹部１ｂに発光装置３を配置する構造によって、発光装置３と光学機能部１ａとの両方を高い位置精度で配置できる。このことにより、発光素子１１からの光を光学機能部１ａで精度よく均一化させ、輝度ムラや色ムラの少ない良質なバックライト用光源とすることができる。発光装置３を配置する凹部１ｂの反対側の面に光学機能部１ａを設ける導光板１は、発光装置３を配置する凹部１ｂの位置に光学機能部１ａを設けることで、発光素子１１と光学機能部１ａとの位置決めをより容易にすることができ、位置ずれを抑制し配置できる。
【００９０】
複数の凹部１ｂのある導光板１に複数の発光装置３を配置する発光モジュール１００は、導光板１の平面視において、発光装置３を二次元に配列する。好ましくは、複数の発光装置３は、図２に示すように、直交する二方向、つまり、ｘ方向及びｙ方向に沿って二次元的に配列される凹部１ｂに配設される。複数の発光装置３を配置する凹部１ｂのｘ方向の配列ピッチｐxと、ｙ方向の配列ピッチｐyは、図２の例に示すように、ｘ方向及びｙ方向の間でピッチが同じであってもよいし、異なっていてもよい。また、配列の二方向は必ずしも直交していなくてもよい。また、ｘ方向またはｙ方向の配列ピッチは等間隔に限られず、不等間隔であってもよい。例えば、導光板１の中央から周辺に向かって間隔が広くなるように発光装置３を配置する凹部１ｂが配列されていてもよい。なお、凹部１ｂに配置される発光装置３間のピッチとは、発光装置３の光軸間の距離、すなわち中心間の距離である。
【００９１】
以上の発光モジュール１００は、導光板１に凹部１ｂを設けて、この凹部１ｂに、発光装置３を配置するので、全体を薄型化できる。また、導光板１に凹部１ｂを設けて、凹部１ｂに発光装置３を配置するので、発光装置３と導光板１との実装精度が向上する。とくに、発光素子１１に波長変換部材１２を接合して、発光素子１１と透光性部材１０とが一体構造となった発光装置３を導光板１の凹部１ｂに配置する構造とすることで、波長変換部材１２と発光素子１１の導光板１への実装精度が向上し、優れた発光特性を実現できる。また、発光素子１１の光を波長変換部材１２に透過させて導光板１に導光し、外部に放射する発光モジュール１００においては、発光素子１１と波長変換部材１２と導光板１とを精度よく配置できることから、導光板１から外部に放射される光の色ムラや輝度ムラ等の発光特性を改善して、特に優れた発光特性を実現する。
【００９２】
接合部材１４が、透光性部材１０の外側面、導光板１の内側面と接し、さらに、凹部１ｂの外に位置する第一光反射性部材１５と接することで、透光性部材１０から出射光で、第二光反射性部材１６側に出た光をより発光装置３の側方に導くことができ輝度ムラが改善される。また、透光性部材１０から出射光をより導光板１に入射することができ、光取り出し効率を向上することができる。
【００９３】
直下型の液晶ディスプレイ装置では、液晶パネルと発光モジュールとの距離が近いため、発光モジュールの色ムラや輝度ムラが液晶ディスプレイ装置の色ムラや輝度ムラに影響を及ぼす可能性がある。そのため、直下型の液晶ディスプレイ装置の発光モジュールとして、色ムラや輝度ムラの少ない発光モジュールが望まれている。本実施形態の発光モジュール１００の構成をとれば、発光モジュール１００の厚みを、５ｍｍ以下、３ｍｍ以下、１ｍｍ以下等と、薄くしながら、輝度ムラや色ムラを少なくできる。
【００９４】
以上の実施形態では、発光装置３が透光性部材１０に波長変換部材１２と光拡散部１３とを備えており、この発光装置３の一部を導光板１の凹部１ｂに配置することで、発光素子１１から照射される光を波長変換部材１２と光拡散部１３とに透過させて導光板１に照射する構造としている。ただ、発光モジュールは、必ずしも発光装置の透光性部材が、波長変換部材と光拡散部の両方を備える必要はない。発光モジュールは、例えば発光装置の透光性部材に波長変換部材のみを設けて、導光板の凹部の底面に光拡散部を設けることもできる。
（発光モジュール１００の製造工程）
【００９５】
まず、発光装置３を準備する。以下、図１４及び図１５は、本実施形態に係る発光装置３の製造工程を示している。
【００９６】
図１４（ａ）と（ｂ）に示す工程で、発光素子１１の素子主発光面１１ｃを覆う透光性部材１０を形成する。図に示す透光性部材１０は、波長変換部材１２と光拡散部１３の積層体としている。
【００９７】
図１４（ａ）に示す工程で、ベースシート３０の表面に均一な厚さで波長変換部材１２を配置した第１のシート３１と、ベースシート３０の表面に均一な厚さに光拡散部１３を配置した第２のシート３２とを、波長変換部材１２と光拡散部１３とを接合する状態で積層する。波長変換部材１２及び光拡散部１３が熱硬化樹脂を母材とする場合は、半硬化状態で２つを積層し硬化させることで接合することができる。また、波長変換部材１２と光拡散部１３は透光性接合部材で接合してもよい。ベースシート３０には、たとえば粘着層を介して剥離できるように波長変換部材１２と光拡散部１３を付着してもよい。
【００９８】
さらに、図１４（ｂ）に示す工程で、第２のシート３２のベースシート３０をプレート３３に剥離できるように配置し、第１のシート３１の波長変換部材１２に接合しているベースシート３０を剥離する。
【００９９】
図１４（ｃ）に示す工程で、透光性部材１０に発光素子１１が接合される。発光素子１１は、素子主発光面１１ｃ側を透光性部材１０に接合する。透光性部材１０が、波長変換部材１２及び光拡散部１３で形成されている場合には、発光素子１１は、透光性部材１０の波長変換部材１２に所定の間隔で接合される。
【０１００】
発光素子１１は、透光性接着部材１９を介して透光性部材１０に接合する。透光性接着部材１９は、透光性部材１０上及び／または発光素子１１の素子主発光面１１ｃ上に塗布されて、発光素子１１と透光性部材１０を接合する。この時、図１４（ｃ）に示すように、塗布された透光性接着部材１９が発光素子１１の素子側面１１ｅに這い上がり、発光素子１１の素子側面１１ｅの一部を透光性接着部材１９が被覆する。また、透光性部材１０と発光素子１１の素子主発光面１１ｃの間にも透光性接着部材１９を配置してもよい。
【０１０１】
発光素子１１の間隔は、図１５（ｆ）で示すように、発光素子１１の間を切断して、透光性部材１０の外形が所定の大きさとなる寸法に設定される。発光素子１１の間隔が、透光性部材１０の外形を特定するからである。
【０１０２】
図１５（ｄ）に示す工程で、発光素子１１を埋設するように、第一光反射性部材１５を形成する。第一光反射性部材１５は、好ましくは白色樹脂である。第一光反射性部材１５は、透光性部材１０上に配置され、発光素子１１を埋設する状態で硬化する。第一光反射性部材１５は、発光素子１１を完全に埋設する厚さ、図１５（ｄ）にあっては発光素子１１の素子電極１１ｂを埋設する厚さに配置される。第一光反射性部材１５は、圧縮成形、トランスファー成形または塗布等で成形することができる。
【０１０３】
図１５（ｅ）に示す工程で、硬化した第一光反射性部材１５の一部を除去して発光素子１１の素子電極１１ｂを露出させる。さらに、第一光反射性部材１５から露出する素子電極１１ｂには、図示しないが、導電膜を用いて電極保護端子を形成してもよい。この場合、第一光反射性部材１５の表面に、銅、ニッケル、金等の導電膜をスパッタなどで設けて素子電極１１ｂに接続し、その後、導電膜の一部を除去して、素子電極１１ｂに導電膜を積層して発光装置３の電極保護端子とする。導電膜の除去は、ドライエッチング、ウエットエッチング、レーザアブレーション等を用いることができる。
【０１０４】
図１５（ｆ）に示す工程で、第一光反射性部材１５と、透光性部材１０を裁断して発光装置３に個片化する。個片化された発光装置３は、透光性部材１０に発光素子１１が接合され、発光素子１１の周囲には第一光反射性部材１５が設けられて、素子電極１１ｂを第一光反射性部材１５の表面に露出させている。
【０１０５】
以上、発光装置の準備について、上述の全ての工程を行ってもよいし、一部の工程を行ってもよい。あるいは、発光装置を購入によって準備してもよい。
【０１０６】
以上の工程で製造された発光装置３は、図１６及び図１７に示す工程で、導光板１の凹部１ｂに接合される。
【０１０７】
まず、導光第二主面１ｄに凹部１ｂが設けられた導光板１を準備する。
【０１０８】
導光板１は、例えば、ポリカーボネートなどの熱可塑性樹脂からなり、図１６（ａ）及び（ｂ）に示すように、導光第二主面１ｄに凹部１ｂが設けられている。
【０１０９】
導光板１は、例えば、射出成型やトランスファーモールド、圧縮成形等で成形することができる。導光板１は、凹部１ｂのある形状に金型で形成して、凹部１ｂの位置ずれを低減しながら、安価に多量生産できる。ただし、導光板は、板状に成形した後、ＮＣ加工機等で切削加工して凹部を設けることもできる。また、導光第一主面１ｃに、例えば円錐状の光学機能部１ａを設けることもできる。
【０１１０】
この導光板１の凹部１ｂに、発光装置３が接合される。発光装置３は、液状である透光性の接合部材１４を塗布した凹部１ｂ内に、発光装置３の一部を配置する。詳細には、発光装置３の透光性部材１０が、凹部１ｂの底面に対向するように配置する。また、第一光反射性部材の一部は、凹部１ｂの外に位置する。
【０１１１】
発光装置３は、平面視において、透光性部材１０の中心と凹部１ｂの中心が一致するように配置し、接合部材１４を硬化させて導光板１に接合される。
【０１１２】
ここで、平面視において、凹部１ｂの内側面は、発光装置３の外側面より大きく、凹部１ｂ内に発光装置３の一部を配置した際、凹部１ｂの内側面と発光装置３の外側面との間にスペース１８が形成される。このスペース１８は、凹部１ｂに塗布される未硬化状態の接合部材１４で充填される。
【０１１３】
また、凹部１ｂ内に塗布する接合部材１４の塗布量を調整することで、凹部１ｂの内側面と発光装置３の外側面との間のスペース１８から凹部１ｂの外側まで接合部材１４が押し出される。凹部１ｂから押し出される接合部材１４は、第一光反射性部材１５の一部と接する位置まで這い上がって第一光反射性部材１５の一部を被覆する。さらに、接合部材１４は、導光第二主面１ｄと接する位置まで広がって、導光第二主面１ｄの一部を被覆するこの状態で、接合部材１４の上面は、垂直断面視において、発光装置３の上端部から外側に向かって傾斜面１４ａが形成される。接合部材１４の傾斜面１４ａは、第一光反射性部材１５の外側面との間でなす角を鋭角とし、好ましくは傾斜角αが５°〜５０°となるように形成される。
【０１１４】
凹部１ｂに塗布する接合部材１４の塗布量は、発光装置３を凹部１ｂに接合する状態で、発光装置３の外側面を被覆する接合部材１４が導光板１の導光第二主面１ｄよりも高くなる量、すなわち凹部１ｂから外側に溢れるような量とすることができる。ただし、接合部材１４の塗布量は、接合部材１４の傾斜面１４ａと第一光反射性部材１５の外側面と接する位置が、発光装置３の外側面の電極側の縁よりも低くなるように調整される。
【０１１５】
また、未硬化状態の接合部材１４は、発光装置３を導光板１に接合した後、スペース１８に塗布して第一光反射性部材１５の一部を被覆する位置まで設けてもよい。換言すると、凹部１ｂ内に発光装置３の一部を配置する際、接合部材１４が凹部１ｂ内に収まる量を塗布する。その後、発光装置３の外側面、詳細には、第一光反射性部材１５の外側面を被覆するように、接合部材１４をさらに塗布する。この時、接合部材１４の塗布量は、発光装置３の外側面すべてを被覆しない量とする。また、接合部材１４が導光板１の導光第二主面１ｄの一部を被覆するように接合部材１４を塗布することがより好ましい。
【０１１６】
発光装置３を導光板１に配置した後、図１６（ｃ）に示す工程で、第二光反射性部材１６を導光板１の導光第二主面１ｄに形成する。第二光反射性部材１６は発光装置３を内部に埋設する厚さに形成される。
【０１１７】
図１７（ｄ）に示す工程で、硬化した第二光反射性部材１６の一部を除去して、素子電極１１ｂを表面に露出させる。
【０１１８】
なお、図１６（ｃ）に示す工程では、第二光反射性部材１６を、発光装置３を内部に埋設する厚さに形成したが、素子電極１１ｂの表面と同一平面、または素子電極１１ｂの表面よりも低い位置となる厚さに形成して、上述した除去工程を省略してもよい。
【０１１９】
図１７（ｅ）に示す工程で、第二光反射性部材１６及び第一光反射性部材１５の表面に導電膜２４を積層する。この工程では、発光素子１１の素子電極１１ｂと第一光反射性部材１５と第二光反射性部材１６の上の略全面に、例えば、Ｃｕ／Ｎｉ／Ａｕの導電膜２４をスパッタ等で形成する。
【０１２０】
図１７（ｆ）に示す工程で、素子電極１１ｂ間の導電膜２４の一部を除去する。
【０１２１】
以上の工程では、１枚の導光板１に１または複数の発光装置３を配置している発光モジュール１００を製造する。
（発光モジュール７００の製造方法）
【０１２２】
図１２に示す発光モジュール７００の発光装置３Ａは、以下のようにして製造される。
【０１２３】
図１８（ａ）に示す工程で、透光性部材１０を形成する。図に示す透光性部材１０は、所定の大きさの波長変換部材１２と光拡散部１３を積層してなる積層体としている。
【０１２４】
図１８（ｂ）に示す工程で、透光性部材１０を埋設するように、透光性樹脂部２０を形成する。このように、波長変換部材１２と光拡散部１３の外側面を透光性樹脂部２０で被覆して保護する。その後、図１８（ｃ）に示す工程で、硬化した透光性樹脂部２０の一部を除去して光拡散部１３を露出させる。
【０１２５】
図１８（ｄ）で示すように、透光性部材１０をプレート３３に配置したベースシート３０の上に光拡散部１３が接するように配置する。その後、透光性部材１０に発光素子１１を接合させる。透光性部材１０上及び／または発光素子１１の素子主発光面１１ｃ上に透光性接着部材１９を塗布し、素子主発光面１１ｃ側を透光性部材１０に接合する。発光素子１１は、１つの透光性部材１０の波長変換部材１２上に、上面視において、発光素子１１の素子主発光面１１ｃの中心と透光性部材１０の中心がほぼ一致するように接合される。
【０１２６】
図１９（ｅ）に示す工程で、発光素子１１を埋設するように、第一光反射性部材１５を形成する。第一光反射性部材１５は、透光性部材１０上に塗布され、発光素子１１を埋設する状態で硬化する。その後、図１９（ｆ）に示す工程で、硬化した第一光反射性部材１５の一部を除去して発光素子１１の素子電極１１ｂを露出させる。
【０１２７】
図１９（ｇ）に示す工程で、第一光反射性部材１５と透光性樹脂部２０とを切断して発光装置３Ａに個片化する。個片化された発光装置３Ａは、波長変換部材１２と光拡散部１３の積層体の外周面が透光性樹脂部２０で被覆された透光性部材１０が発光素子１１に接合され、さらに、発光素子１１の周囲には第一光反射性部材１５が設けられて、素子電極１１ｂを第一光反射性部材１５の表面に露出させている。
【０１２８】
以上の工程で製造された発光装置３Ａは、図１６及び図１７に示す前述の工程と同様にして、導光板１の凹部１ｂに接合された後、導光板１の導光第二主面１ｄと発光装置３Ａを被覆する第二光反射性部材１６が形成されて発光モジュール７００が製造される。
（他の製造方法）
【０１２９】
図２０は、透光性部材１０が波長変換部材１２のみを備える発光装置３Ｂを使用し、この発光装置３Ｂを導光板１に設けた凹部１ｂに接合して製造される、図２１に示す発光モジュール３００の製造工程を示している。この発光モジュール３００は、発光装置３Ｂが配置される凹部１ｂの底面に光拡散部１３を配置して製造される。この発光装置３Ｂは、波長変換部材１２の表面に発光素子１１を接合した後、図１５に示す工程と同様にして、波長変換部材１２と発光素子１１の表面に第一光反射性部材１５を配置し、透光性部材１０が波長変換部材１２のみを備える発光装置３Ｂを製造する。
【０１３０】
この発光モジュール３００は、以下の工程で製造される。
【０１３１】
図２０（ａ）に示す工程で、導光板１の凹部１ｂの底面に光拡散部１３を設ける。この光拡散部１３は、所定のサイズに成形された板状もしくはシート状の光拡散部を、凹部１ｂの底面に接合してもよいし、印刷、塗布等で凹部１ｂの底面に配置することで設けられてもよい。
【０１３２】
図２０（ｂ）に示すように、底面に光拡散部１３が設けられた凹部１ｂに、発光装置３Ｂが接合される。発光装置３Ｂは、未硬化状態で液状である透光性の接合部材１４を塗布した凹部１ｂに、発光装置３Ｂの一部を透光性部材１０が光拡散部１３に対向するように配置し、接合部材１４を硬化させて導光板１に配置される。
【０１３３】
凹部１ｂに塗布される未硬化状態の接合部材１４は、発光装置３Ｂの一部を凹部１ｂに配置した際に、凹部１ｂの内側面と発光装置３Ｂの外側面との間のスペース１８に充填される。この時、凹部１ｂの外側まで押し出されて接合部材１４が形成される。凹部１ｂから押し出される接合部材１４は、前述と同様にして、第一光反射性部材１５の一部と接する位置まで這い上がって第一光反射性部材１５の一部を被覆する。さらに、接合部材１４の上面は、垂直断面視において、発光装置３の上端部から外側に向かって傾斜面１４ａが形成される。
【０１３４】
発光装置３を導光板１に配置した後、図２０（ｄ）に示す工程で、第二光反射性部材１６を導光板１の導光第二主面１ｄに形成する。第二光反射性部材１６には白色樹脂が使用され、発光装置３を内部に埋設する厚さに形成される。
【０１３５】
その後、図１７（ｄ）〜（ｆ）と同様にして、第二光反射性部材１６の表面を研磨して、素子電極１１ｂを表面に露出させた後、第二光反射性部材１６及び第一光反射性部材１５の表面に導電膜２４を積層し、導電膜２４の一部を除去して、図２１に示す構造の発光モジュール３００が製造される。
【０１３６】
本実施形態の発光モジュール１００は、複数の発光装置３を、それぞれが独立で駆動するように配線されてもよい。また、導光板１を複数の範囲に分割し、１つの範囲内に実装された複数の発光装置３を１つのグループとし、該１つのグループ内の複数の発光装置３同士を直列または並列に電気的に接続することで同じ回路に接続し、このような発光装置グループを複数備えるようにしてもよい。このようなグループ分けを行うことで、ローカルディミング可能な発光モジュールとすることができる。
【０１３７】
本実施形態の発光モジュール１００は、１つが１つの液晶ディスプレイ装置のバックライトとして用いられてもよい。また、複数の発光モジュール１００が並べられて１つの液晶ディスプレイ装置１０００のバックライトとして用いられてもよい。小さい発光モジュール１００を複数作り、それぞれ検査等を行うことで、大きく実装される発光素子１１の数が多い発光モジュール１００を作成する場合と比べて、歩留まりを向上させることができる。
【０１３８】
発光モジュール１００は、図２２に示すように、配線基板２５を有していてもよい。配線基板２５は、例えば、絶縁性の基材に設けられた複数のビアホール内に充填された導電性部材２６と、基材の両面側において導電性部材２６と電気的に接続された配線層２７が形成されている。そして、素子電極１１ｂが、配線基板２５と電気的に接続されている。
【０１３９】
なお、１つの発光モジュール１００が１つの配線基板に接合されてもよいし、複数の発光モジュール１００が、１つの配線基板に接合されてもよい。これにより、外部との電気的な接続端子（例えばコネクタ）を集約できる（つまり、発光モジュール１つごとに用意する必要がない）ため、液晶ディスプレイ装置１０００の構造を簡易にすることができる。
【０１４０】
また、この複数の発光モジュール１００が接合された１つの配線基板を複数並べて一つの液晶ディスプレイ装置１０００のバックライトとしてもよい。この時、例えば、複数の配線基板をフレーム等に載置し、それぞれコネクタ等を用いて外部の電源と接続することができる。
【０１４１】
なお、導光板１上には、拡散等の機能を有する透光性の部材をさらに積層してもよい。その場合、光学機能部１ａが凹みである場合には、凹みの開口（つまり、導光板１の導光第一主面１ｃに近い部分）を塞ぐが、凹みを埋めないように、透光性の部材を設けることが好ましい。これにより、光学機能部１ａの凹み内に空気の層を設けることができ、発光素子１１からの光を良好に広げることができる。
【産業上の利用可能性】
【０１４２】
本開示に係る発光モジュールは、テレビやタブレット、液晶ディスプレイ装置のバックライトとして、テレビやタブレット、スマートフォン、スマートウォッチ、ヘッドアップディスプレイ、デジタルサイネージ、掲示板などに好適に利用できる。また、照明用の光源としても利用でき、非常灯やライン照明、あるいは各種のイルミネーションや車載用のインストールなどにも利用できる。
【符号の説明】
【０１４３】
１０００…液晶ディスプレイ装置
１００、１００’、３００、４００、５００、６００、７００…発光モジュール
１１０ａ…レンズシート
１１０ｂ…レンズシート
１１０ｃ…拡散シート
１２０…液晶パネル
１、１’…導光板
１ａ…光学機能部
１ｂ…凹部
１ｃ…導光第一主面
１ｄ…導光第二主面
１ｅ…溝
１ｆ…傾斜面
３、３Ａ、３Ｂ…発光装置
１０…透光性部材
１１…発光素子
１１ｂ…素子電極
１１ｃ…素子主発光面
１１ｄ…素子電極形成面
１１ｅ…素子側面
１２…波長変換部材
１３…光拡散部
１４、１４ａ’、１４ａ”、１４Ｂ、１４Ｃ、１４Ｄ…接合部材
１４ａ…傾斜面
１５…第一光反射性部材
１６、１６Ｄ…第二光反射性部材
１８…スペース
１９…透光性接着部材
２０…透光性樹脂部
２４…導電膜
２５…配線基板
２６…導電性部材
２７…配線層
３０…ベースシート
３１…第１のシート
３２…第２のシート
３３…プレート
【図１】
2020109718.tif 000003
【図２】
2020109718.tif 000004
【図３】
2020109718.tif 000005
【図４】
2020109718.tif 000006
【図５】
2020109718.tif 000007
【図６】
2020109718.tif 000008
【図７】
2020109718.tif 000009
【図８】
2020109718.tif 000010
【図９】
2020109718.tif 000011
【図１０】
2020109718.tif 000012
【図１１】
2020109718.tif 000013
【図１２】
2020109718.tif 000014
【図１３】
2020109718.tif 000015
【図１４】
2020109718.tif 000016
【図１５】
2020109718.tif 000017
【図１６】
2020109718.tif 000018
【図１７】
2020109718.tif 000019
【図１８】
2020109718.tif 000020
【図１９】
2020109718.tif 000021
【図２０】
2020109718.tif 000022
【図２１】
2020109718.tif 000023
【図２２】
2020109718.tif 000024